(57)【要約】【課題】誤って操作して充電台が掃除機本体から落下するような状態となっても充電台の落下を防止することができる電気掃除機を提供する。【解決手段】掃除機本体１は、継ぎ手部２２と、底部に設けられた開口部１ｅと、上端部が継ぎ手部２２の一端部２２ａに回動自在に設けられ、一端部２２ａから下方に延びて開口部１ｅを貫通する下端部に係止部２０１を有するラッチ２０と、底部に開口部１ｅから下方に突出して設けられ、ラッチ２０の下端部が収容されてラッチ２０の係止部２０１が横方向に突出する第２凸部１ｄとを有し、充電台５は、後上部５１ｃに下方に凹んで設けられ、後上部５１ｃに掃除機本体１が載置されたときにラッチ２０の係止部２０１が突出した状態で第２凸部１ｄが嵌め込まれる第２凹部５８と、後上部５１ｃの係止部２０１側の裏面に設けられた係止受け部３０とを有している。【選択図】図１３
2016021999.tif 000002
【特許請求の範囲】
【請求項１】
蓄電池を有する掃除機本体と、
内部に出し入れ自在に収納された電源コードを有し、上部に前記掃除機本体が着脱自在に装着され、前記電源コードがコンセントに接続されているときに前記蓄電池を充電する充電台とを備え、
前記掃除機本体は、
上部に上下動自在に設けられた本体分離ボタンと、
前記本体分離ボタンの上下方向の動作に直交する方向に延びる継ぎ手部と、
底部に設けられた開口部と、
上端部が前記継ぎ手部の一端部に回動自在に設けられ、当該一端部から下方に延びて前記開口部を貫通する下端部に係止部を有するラッチと、
前記底部に前記開口部から下方に突出して設けられ、前記ラッチの下端部が収容されて当該ラッチの係止部が横方向に突出する係止収容部とを有し、
前記充電台は、
前記上部に下方に凹んで設けられ、当該上部に前記掃除機本体が載置されたときに前記ラッチの係止部が突出した状態で前記係止収容部が嵌め込まれる凹部と、
前記上部の前記係止部側の裏面に設けられた係止受け部とを有し、
前記充電台が装着された前記掃除機本体を持ち上げた状態で前記本体分離ボタンを下方へ押したときに、前記ラッチの係止部と前記係止受け部とが嵌合して前記充電台の落下を防止することを特徴とする電気掃除機。
【請求項２】
前記ラッチの係止部は、当該ラッチの下端部から横方向に突出する爪部と、当該爪部の上面から上方に突出する突起部とで構成され、
前記係止受け部は、前記充電台の上部の裏面に設けられ、前記ラッチの下端部と前記突起部との間に嵌合する凸部、あるいは当該上部の裏面に設けられ、前記突起部が嵌入する下開口の溝部であることを特徴とする請求項１記載の電気掃除機。
【請求項３】
前記継ぎ手部の一部に、伸縮部材が使用されていることを特徴とする請求項１又は２記載の電気掃除機。
【請求項４】
前記凹部に前記係止収容部が嵌め込まれた際の隙間は、前記ラッチと前記係止収容部との間の隙間のうち前記掃除機本体の前後方向の隙間よりも狭くなっていることを特徴とする請求項１〜３の何れか１項に記載の電気掃除機。
【発明の詳細な説明】
【技術分野】
【０００１】
本発明は、例えば、一般家庭に使用される電気掃除機に関するものである。
【背景技術】
【０００２】
従来の電気掃除機として、吸引風を発する電動送風機、電動送風機を駆動する蓄電池、電動送風機を制御する制御基板および吸引風とともに吸込まれた塵埃を集塵する集塵部を有する掃除機本体と、電源コードの巻き取り部および蓄電池を充電するための充電回路を有する充電台とで構成されるものがある。この電気掃除機においては、充電台に移動可能とするキャスターと車輪とを備え、掃除機本体と充電台とが着脱自在に装着される構成となっている（例えば、特許文献１参照）。
【先行技術文献】
【特許文献】
【０００３】
【特許文献１】特開２００４−２２３１３４号公報（特許請求の範囲、図３−図５）
【発明の概要】
【発明が解決しようとする課題】
【０００４】
しかしながら、掃除機本体と充電台との装着状態から、掃除機本体を充電台から切り離す際、ボタンが押しにくい位置にあるため使い勝手が悪く、充電台に装着された掃除機本体を持ち上げた状態でボタンを押した場合には充電台が落下し安全性の課題があった。
【０００５】
本発明は、前述のような課題を解決するためになされたもので、掃除機本体を充電台から切り離す操作が容易で、誤って操作して充電台が掃除機本体から落下するような状態となっても充電台の落下を防止することができる電気掃除機を提供することを目的とする。
【課題を解決するための手段】
【０００６】
本発明に係る電気掃除機は、蓄電池を有する掃除機本体と、内部に出し入れ自在に収納された電源コードを有し、上部に掃除機本体が着脱自在に装着され、電源コードがコンセントに接続されているときに蓄電池を充電する充電台とを備え、掃除機本体は、上部に上下動自在に設けられた本体分離ボタンと、本体分離ボタンの上下方向の動作に直交する方向に延びる継ぎ手部と、底部に設けられた開口部と、上端部が継ぎ手部の一端部に回動自在に設けられ、当該一端部から下方に延びて開口部を貫通する下端部に係止部を有するラッチと、底部に開口部から下方に突出して設けられ、ラッチの下端部が収容されて当該ラッチの係止部が横方向に突出する係止収容部とを有し、充電台は、上部に下方に凹んで設けられ、当該上部に掃除機本体が載置されたときにラッチの係止部が突出した状態で係止収容部が嵌め込まれる凹部と、上部の係止部側の裏面に設けられた係止受け部とを有し、充電台が装着された掃除機本体を持ち上げた状態で本体分離ボタンを下方へ押したときに、ラッチの係止部と係止受け部とが嵌合して充電台の落下を防止する。
【発明の効果】
【０００７】
本発明によれば、充電台が装着された掃除機本体を持ち上げた状態で本体分離ボタンを下方へ押したときに、ラッチの係止部と係止受け部とが嵌合して充電台の落下を防止する構成となっている。この構成により、本体分離ボタンを誤動作させたとしても充電台が落下するようなことがなくなり、安全性の良い電気掃除機を提供することができる。また、本体分離ボタンを掃除機本体の上部に設けているので、本体分離ボタンの視認性が良く、使い勝手がよい。
【図面の簡単な説明】
【０００８】
【図１】本発明の実施の形態に係る電気掃除機の外観を示す側面図。
【図２】本発明の実施の形態に係る電気掃除機の掃除機本体から本体ケースを取り外した状態を示す斜視図。
【図３】本発明の実施の形態に係る電気掃除機の掃除機本体と充電台とを拡大して示す縦断面図。
【図４】本発明の実施の形態に係る電気掃除機の掃除機本体と充電台とを前方斜めから見て示す外観斜視図。
【図５】図１の掃除機本体と充電台とを後方斜めから見て示す外観斜視図。
【図６】図５の掃除機本体と充電台の外観を示す側面図。
【図７】本発明の実施の形態に係る電気掃除機をコードレススティック掃除機として使用した場合の側面図。
【図８】本発明の実施の形態に係る電気掃除機をハンディ掃除機として使用した場合の側面図。
【図９】本発明の実施の形態に係る電気掃除機の掃除機本体と充電台とが分離状態のときの縦断面図。
【図１０】図９の掃除機本体が充電台に載置される寸前の状態を示す縦断面図。
【図１１】図１０の掃除機本体が充電台に載置されたときの縦断面図。
【図１２】図１１の状態から掃除機本体を分離するときの縦断面図。
【図１３】図９に示す掃除機本体側の継ぎ手部、ラッチおよび第２凸部と充電台側の第２凹部の拡大図。
【図１４】本発明の実施の形態に係る電気掃除機の変形例を示す縦断面図。
【発明を実施するための形態】
【０００９】
以下に、本発明に係る電気掃除機の実施の形態について、図面を用いて説明する。
図１は本発明の実施の形態に係る電気掃除機の外観を示す側面図、図２は本発明の実施の形態に係る電気掃除機の掃除機本体から本体ケースを取り外した状態を示す斜視図、図３は本発明の実施の形態に係る電気掃除機の掃除機本体と充電台とを拡大して示す縦断面図、図４は本発明の実施の形態に係る電気掃除機の掃除機本体と充電台とを前方斜めから見て示す外観斜視図、図５は図１の掃除機本体と充電台とを後方斜めから見て示す外観斜視図、図６は図５の掃除機本体と充電台の外観を示す側面図である。
【００１０】
実施の形態に係る電気掃除機は、図１に示すように、掃除機本体１と、先端部に把持部２ａを有し、後端部が掃除機本体１の集塵部１１の差込部１２に取り外し自在に差し込まれたホース２と、把持部２ａに取り外し自在に連結された延長管３と、延長管３に取り外し自在に連結された吸込み具４と、上部に掃除機本体１が取り外し自在に装着される充電台５とを備えている。吸込み具４には、被掃除面と対向する面に吸引口が設けられている。
【００１１】
掃除機本体１は、図２および図３に示すように、前部に取り外し自在に装着された集塵部１１と、電動送風機１３と、制御基板１４と、蓄電池１５とを備えている。掃除機本体１の上部には、ハンドル１６が設けられている。このハンドル１６には、掃除機本体１の運転を操作する操作部１６ａが装着されている。
【００１２】
電動送風機１３は、例えば、交流および直流の何れでも駆動可能なユニバーサルモーター１３ａと、ユニバーサルモーター１３ａの回転軸に装着されたファン１３ｂとで構成されている。ユニバーサルモーター１３ａは、電動ケース１３ｃによって覆われている。この電動送風機１３は、吸込風を発生させて吸込み具４から被掃除面上の塵埃を吸引し、延長管３およびホース２を介して集塵部１１に集塵する。
【００１３】
制御基板１４には、蓄電池１５を充電する充電回路、直流電源および交流電源の何れかを電動送風機１３に供給し、操作部１６ａの操作に基づいて電動送風機１３の回転を制御する制御回路等が設けられている。蓄電池１５には、例えばリチウムイオン電池が使用されている。
【００１４】
充電台５は、走向方向に直交する幅方向の両側面に回転自在に取り付けられた車輪５４と、集塵部１１が載置される前部内側に回転自在に設けられたキャスター５５とを備えている。また、充電台５の上部は、集塵部１１が載置される前上部５１ａと、前上部５１ａから直角に上方に延びる側面部５１ｂと、側面部５１ｂから直角に水平に延びて形成された後上部５１ｃとで構成されている。この後上部５１ｃには、集塵部１１を除く掃除機本体１が装着される。
【００１５】
この充電台５の内部には、電源コード５３の巻き取り部５２が収納されている（図３参照）。巻き取り部５２は、電源コード５３を巻き付けるコード巻き付け部５２ａと、コード巻き付け部５２ａを電源コード５３の巻き付け方向に付勢するゼンマイ５２ｂと、コード巻き付け部５２ａを回転自在に保持する軸部５２ｃとで構成されている。
【００１６】
掃除機本体１の上部には、図４に示すように、本体分離ボタン１７が設けられている。この本体分離ボタン１７は、掃除機本体１を正面から見て例えば左側に配置されており、掃除機本体１を充電台５から分離させるための押しボタンである。
【００１７】
掃除機本体１の集塵部１１を除く底部１ａの後部、例えば角部には２つの第３凸部１８が設けられている（図５および図６参照）。また、底部１ａの前部には、集塵部１１の一部を挟むように２つの第４凸部１９が設けられている。第３凸部１８は、掃除機本体１の後側に開口部１８ａを有する箱形状に形成されている。第４凸部１９は、掃除機本体１を後方から見て横長の直方体形状に形成されている。
【００１８】
充電台５の後上部５１ｃの後部には、掃除機本体１の第３凸部１８が差し込まれる第３凹部５６が設けられている。この第３凹部５６には、第３凸部１８が差し込められた際に、第３凸部１８の開口部１８ａに入り込んで第３凸部１８を係止する突起片５６ａが設けられている。また、充電台５の後上部５１ｃの前部には、後述する第１凹部５７と第２凹部５８（凹部）とが設けられている。
【００１９】
掃除機本体１を充電台５に装着した際に、２つの第３凸部１８がそれぞれ第３凹部５６に差し込まれ、２つの第４凸部１９が充電台５の側面部５１ｂに接触して充電台５を前後方向から挟む。本体分離ボタン１７の操作により掃除機本体１を充電台５から分離した際には、２つの第３凸部１８と２つの第４凸部１９とが掃除機本体１の脚部として使用される。
【００２０】
前述した電気掃除機の使用形態について、図１、図４、図７および図８を用いて説明する。
図７は本発明の実施の形態に係る電気掃除機をコードレススティック掃除機として使用した場合の側面図、図８は本発明の実施の形態に係る電気掃除機をハンディ掃除機として使用した場合の側面図である。
【００２１】
図４に示すように、掃除機本体１を充電台５に装着して、電源コード５３をコンセントに差し込んでいるときには、後述するが、掃除機本体１の蓄電池１５が充電される。この状態において、吸込み具４と延長管３とが連結されたホース２を集塵部１１の差込部１２に差し込んだ場合は、床用掃除機として使用することができる。その際、制御基板１４によって、交流電源が電動送風機１３に供給される。
【００２２】
本体分離ボタン１７の操作により掃除機本体１を充電台５から分離した場合は、図１に示すように、コードレス床用掃除機として使用することができる。この場合、掃除機本体１の底部に設けられた２つの第３凸部１８と２つの第４凸部１９とが脚部として使用される。また、図７に示すように、吸込み具４が連結された延長管３を集塵部１１の差込部１２に差し込んだ場合は、コードレススティック掃除機として使用することができる。さらに、図８に示すように、吸込み具４のみを集塵部１１の差込部１２に差し込んだ場合は、ハンディ掃除機として使用することができる。
【００２３】
次に、掃除機本体１を充電台５に装着した際に、双方が電気的に接続される仕組みについて、図９〜図１２を用いて説明する。
図９は本発明の実施の形態に係る電気掃除機の掃除機本体と充電台とが分離状態のときの縦断面図、図１０は図９の掃除機本体が充電台に載置される寸前の状態を示す縦断面図、図１１は図１０の掃除機本体が充電台に載置されたときの縦断面図、図１２は図１１の状態から掃除機本体を分離するときの縦断面図である。
【００２４】
掃除機本体１は、図９に示すように、底部１ａに下方に突出して設けられた第１凸部１ｂおよび第２凸部１ｄ（係止収容部）と、第１凸部１ｂの先端部に設けられた第１端子１ｃとを有している。充電台５は、後上部５１ｃに設けられた第１凹部５７および第２凹部５８（凹部）と、第１凹部５７の底部に設けられた第２端子５７ａとを有している。第１凸部１ｂは、上部が開口された溝形状の凸部である。第２凸部１ｄは、第１凸部１ｂ側の側面が開口されている。
【００２５】
この第２凸部１ｄには、後述するが、ラッチ２０の下端部が収容され、その開口から係止部２０１が突出している。ラッチ２０は、掃除機本体１の底部１ａに設けられた支持台２１を支点として、掃除機本体１の幅方向に回動するように構成されている。このラッチ２０の上端部には、ラッチ２０の回動に応じて掃除機本体１の幅方向に動作する継ぎ手部２２が設けられている。
【００２６】
第１凹部５７および第２凹部５８の一方の側面（充電台５を前方から見て左側の側面）には、スリット形状の長穴５７ｂ、５８ａが設けられている。これらの長穴５７ｂ、５８ａには、板形状のシャッター５９の一部が出し入れ自在に貫通している。つまり、シャッター５９の第１凹部５７内の一部は、バネ５９ａの付勢力によって第１凹部５７内の第２端子５７ａを覆っており、また、シャッター５９の第２凹部５８内の一部は、掃除機本体１の第２凸部１ｄの先端が挿入されるように、隙間を有した状態で第２凹部５８内に挿入されている。
【００２７】
前述した本体分離ボタン１７には、鉛直方向に延びる連動部材１７ａが連結され、本体分離ボタン１７の内部にバネ１７ｂが設けられている。本体分離ボタン１７をバネ１７ｂの付勢力に抗して下方に押したときには、連動部材１７ａの突起部１７ｃにより、継ぎ手部２２が第１凸部１ｂ側に押される。この時、ラッチ２０が支持台２１を支点として継ぎ手部２２に連動し、時計回りに回転して係止部２０１が第２凸部１ｄ内に移動する。
【００２８】
図１０に示すように、掃除機本体１が充電台５に装着される際、シャッター５９は、第２凹部５８内に挿入された第２凸部１ｄにより、バネ５９ａの付勢力に抗して第２凹部５８の長穴５８ａから押し出されると共に、第１凹部５７の長穴５７ｂから引き出されて第１凹部５７を開状態にする。そして、図１１に示すように、掃除機本体１を充電台５に載置したときには、掃除機本体１の第１凸部１ｂが第１凹部５７内に挿入されて第１端子１ｃと第２端子５７ａとが電気的に接続されると共に、第２凸部１ｄが第２凹部５８内に挿入される。
【００２９】
一方、掃除機本体１を充電台５に載置したときに、ラッチ２０の係止部２０１が充電台５の後上部５１ｃに係止して、掃除機本体１が充電台５に装着された状態となる。また、本体分離ボタン１７を下方に押したときには、連動部材１７ａの突起部１７ｃにより、継ぎ手部２２が第１凸部１ｂ側に押される。この時、継ぎ手部２２に連動してラッチ２０が支持台２１を支点として、時計回りに回転して係止部２０１が第２凸部１ｄ内に移動し、掃除機本体１を充電台５から分離することができる（図１２参照）。
【００３０】
次に、図１３を用いて、掃除機本体１側の継ぎ手部、ラッチおよび第２凸部（係止収容部）と、充電台５側の第２凹部５８（凹部）の構成について詳述する。
図１３は図９に示す掃除機本体側の継ぎ手部、ラッチおよび第２凸部と充電台側の第２凹部の拡大図である。
継ぎ手部２２は、本体分離ボタン１７に連結された連動部材１７ａの上下方向の動作に直交する方向に延びている。ラッチ２０は、上端部が継ぎ手部２２の一端部２２ａに回動自在に設けられ、その一端部２２ａから下方に延びて、後述する開口部１ｅを貫通している。また、ラッチ２０は、中央部に設けられた横棒２０ｃにより支持台２１に回動自在に支持されている。
【００３１】
掃除機本体１の第２凸部１ｄ（係止収容部）は、底部１ａに設けられた開口部１ｅを上部として下方に突出して設けられ、ラッチ２０の下端部が収容されてラッチ２０の係止部２０１が横方向に突出する構成となっている。係止部２０１は、ラッチ２０の下端部から横方向に突出する爪部２０１ａと、爪部２０１ａの上面から上方に突出する突起部２０１ｂとで構成されている。
【００３２】
充電台５の第２凹部５８（凹部）は、後上部５１ｃ（上部）に下方に凹んで設けられ、その後上部５１ｃに掃除機本体１が載置されたときに、ラッチ２０の係止部２０１が突出した状態で第２凸部１ｄ（係止収容部）が嵌め込まれる。また、後上部５１ｃの係止部２０１側の裏面には、係止受け部３０が設けられている。係止受け部３０は、ラッチ２０の下端部と突起部２０１ｂとの間に嵌合する凸部である。なお、これに代えて、後上部５１ｃの裏面に設けられ、突起部２０１ｂが嵌入する下開口の溝部でもよい。
【００３３】
充電台５が装着された掃除機本体１を持ち上げた状態で本体分離ボタン１７を下方へ押したときに、ラッチ２０の下端部と突起部２０１ｂとの間の隙間に係止受け部３０が嵌合して充電台５の落下を防止する。
【００３４】
また、第２凹部５８（凹部）に第２凸部１ｄ（係止収容部）が嵌め込まれた際の隙間は、ラッチ２０と開口部１ｅとの間の隙間のうち掃除機本体１の前後方向の隙間よりも狭くなっている。第２凹部５８と第２凸部１ｄとの隙間を狭くすることにより、床用掃除機状態での引き回しながらの掃除において、床の段差部を走行する際の衝撃を受けることができるため、ラッチ２０の係止受け部３０への衝撃が緩和される。このため、ラッチ２０の下端部と突起部２０１ｂとの間に嵌合する係止受け部３０の破損を防ぐことができ、耐久性の良い電気掃除機を得ることができる。
【００３５】
以上のように実施の形態によれば、本体分離ボタン１７を掃除機本体１の上部に設けているので、本体分離ボタン１７の視認性が良く、使い勝手がよい。
【００３６】
また、充電台５が装着された掃除機本体１を持ち上げた状態で本体分離ボタン１７を下方へ押したときに、ラッチ２０の下端部と突起部２０１ｂとの間の隙間に係止受け部３０が嵌合して充電台５の落下を防止する。このため、本体分離ボタン１７を誤動作させたとしても充電台５が落下するようなことがなくなり、安全性の良い電気掃除機を提供することができる。
【００３７】
図１４は本発明の実施の形態に係る電気掃除機の変形例を示す縦断面図である。この図に示すように、継ぎ手部２２の一部に、伸縮部材２３を用いても良い。これは、掃除機本体１を持ち上げた際に、充電台５の重量がラッチ２０の爪部２０１ａと突起部２０１ｂに加わるが、ラッチ２０は本体重量により突起部２０１ｂが係止されているため回転しない。この状態で、本体分離ボタン１７を誤って動作させたときでも、本体分離ボタン１７から伝達された押しのける荷重を継ぎ手部２２の伸縮部材２３により逃がすことができる。なお、伸縮部材２３としてバネを用いてもよい。
【符号の説明】
【００３８】
１  掃除機本体、１ａ  底部、１ｂ  第１凸部、１ｃ  第１端子、１ｄ  第２凸部、１ｅ  開口部、２  ホース、２ａ  把持部、３  延長管、４  吸込み具、５  充電台、１１  集塵部、１２  差込部、１３  電導送風機、１３ａ  ユニバーサルモーター、１３ｂ  ファン、１３ｃ  電動ケース、１４  制御基板、１５  蓄電池、１６  ハンドル、１６ａ  操作部、１７  本体分離ボタン、１７ａ  連動部材、１７ｂ  バネ、１７ｃ  突起部、１８  第３凸部、１８ａ  開口部、１９  第４凸部、２０  ラッチ、２０１  係止部、２０１ａ  爪部、２０１ｂ  突起部、２０ｃ  横棒、２１  支持台、２２  継ぎ手部、２２ａ  一端部、２３  伸縮部材、３０  係止受け部、５１ａ  前上部、５１ｂ  側面部、５１ｃ  後上部、５２  巻き取り部、５２ａ  コード巻き付け部、５２ｂ  ゼンマイ、５２ｃ  軸部、５３  電源コード、５４  車輪、５５  キャスター、５６  第３凹部、５６ａ  突起片、５７  第１凹部、５７ａ  第２端子、５７ｂ  長穴、５８  第２凹部、５８ａ  長穴、５９  シャッター、５９ａ  バネ。
【図１】
2016021999.tif 000003
【図２】
2016021999.tif 000004
【図３】
2016021999.tif 000005
【図４】
2016021999.tif 000006
【図５】
2016021999.tif 000007
【図６】
2016021999.tif 000008
【図７】
2016021999.tif 000009
【図８】
2016021999.tif 000010
【図９】
2016021999.tif 000011
【図１０】
2016021999.tif 000012
【図１１】
2016021999.tif 000013
【図１２】
2016021999.tif 000014
【図１３】
2016021999.tif 000015
【図１４】
2016021999.tif 000016